(57)【要約】 【課題】 ビルの壁面や各種土木構造物で外観的にまた地球温暖化防止上壁面緑化が重要な技術課題になっている。この対策として壁体に開口部を設けこの中に植栽桝を挿入するものがあるが構造が二重でコストアップになる問題点があった。【解決手段】 内側の植栽桝を無しにし、この代わりに根鉢状に固まったものを開口部に挿入するようにした。【選択図】図６
2007089594.tif 000002
【特許請求の範囲】
【請求項１】
壁体に植栽するための開口部すなわち植栽孔を設けこの植栽孔の背面側すなわち土砂のある側に土砂が植栽孔に流入しないようにネットを設け反対側より植物の根鉢を挿入し根鉢の先端をネットに密着させてネットの目の部分で根鉢の先端部と背面土を密着させて毛細管現象により背面土の養水分を根鉢に伝達させ植物の根をネットの目を通して背面土に伸長させて植物を生育させ、かつ根鉢が植栽孔から移動しないようにまた根鉢の先端が背面土に密着し続けるように壁体に止め具を用いて根鉢を固定した植栽壁面体。
【請求項２】
請求項１に記載の壁体がプレキャストコンクリート版を用いたテールアルメ工法、多数アンカー工法およびこれらを改良した各種工法による壁体であるか又はプレキャスト鉄筋コンクリートまたは現場打設鉄筋コンクリートのＬ型擁壁、倒立Ｔ型擁壁、Ｕ型擁壁、箱型擁壁またはプランターボックスの壁体である請求項１に記載の植栽壁面体。
【請求項３】
壁体の植栽孔の奥行き方向の長さと根鉢の長さとのバランスに着目し根鉢が短すぎる場合これを補う土塊パットを用いて、根鉢、土塊パットおよび背面土が密着するようにし、長すぎる場合、壁体に増し厚材を用いて植栽孔の奥行き方向の長さと根鉢の長さをほぼ同じにした請求項１および請求項２に記載の植栽壁面体。
【請求項４】
壁体に用いるネットに着目し大きめの目のあるネットの背面土側に小さめの目のある生分解するネットまたは多数の穴のある生分解シート等を用い、初期の生育段階では植物の根が小さめの目のある生分解するネットまたは多数の穴のある生分解シート等の目を通して生育し根が太径化した時は生分解するネットまたは多数の穴のある生分解シート等が生分解し根の生育を妨げないで、かつ大きめの目のあるネットが背面土の植栽孔への流入を防ぐようにした請求項１〜請求項３に記載の植栽壁面体。
【請求項５】
壁体の材料がプレキャストコンクリート、プレキャスト鉄筋コンクリートまたは現場打設鉄筋コンクリートのいずれかであり、増し厚材の材料が発泡スチロール、発泡スチロールと同等品、プレキャストコンクリートまたはプレキャスト鉄筋コンクリートのいずれかである請求項１〜請求項４に記載の植栽壁面体。
【発明の詳細な説明】
【技術分野】
【０００１】
本発明は、壁面の植栽構造に関する。
【背景技術】
【０００２】
ビルの屋上緑化は様々なものが提案され実用化されている一方壁面緑化はまだ開発段階である。土木でも壁面に植栽し外観的にまた地球温暖化防止上望ましい構造のものが求められている。すでにその一案として特許文献１のものを提案した。
【０００３】
【特許文献１】特願２０００−２０７５４４
【発明の開示】
【発明が解決しようとする課題】
【０００４】
前記のものは主に土留壁を対象とし壁体に開口部を設けこの中に植栽桝を挿入するものであるが構造が二重になりコストアップになる問題点があった。ただ背面にネットを使用しているのが重要な要素であった。
【課題を解決するための手段】
【０００５】
内側の植栽桝を無しにし、この代わりに根鉢状に固まったものを開口部に挿入するようにした。根鉢とは植物の根とその周りの土壌が固まったもので例えばビニールポットで苗を生育し、これらからビニールポットを取り除いた後の苗の根の部分とこの周りの土壌の固まったもの、のことである。背面にネットを使用することは特許文献１のものと同じである。
【発明の効果】
【０００６】
壁体に植栽するための開口部すなわち植栽孔を設けこの植栽孔の背面側に土砂が植栽孔に流入しないようにネットを設け反対側より植物の根鉢を挿入するもので植栽桝等を使用しないから構造が二重でなくコストアップにならない。またテールアルメ工法等、およびＬ型擁壁、倒立Ｔ型擁壁、Ｕ型擁壁、箱型擁壁およびプランターボックスなど様々なものに適用できる。
【発明を実施するための最良の形態】
【０００７】
以下、本発明の実施の形態を図に基づいて説明する。
【０００８】
テールアルメ工法、多数アンカー工法およびこれらを改良した各種工法（以下テールアルメ工法等とする）によりプレキャストコンクリート版を用いる場合について図１に示す。以下プレキャストコンクリートを鉄筋で補強したものも含めて単にプレキャストコンクリートとする。プレキャストコンクリート版による壁体１に植栽孔２を設ける。植栽孔２の横断面形状は円形が主であるが任意でよい。この植栽孔２をつくるための型枠は、そのままにするか又は撤去する。そのままにする場合は現在一般に施工されている土留壁の排水孔のようになり、型枠の材料は塩ビ管などである。撤去する場合はフェンスの支柱のボイドのように厚紙製円筒型枠を用い適宜撤去する。
【０００９】
壁体１の背面すなわち土砂のある側にネット３を用いる。これらの様子を図１の符号３に示す。ネット３を壁体１に取り付ける方法はいろいろあるがパテ状の接着剤を壁体１にネット３との接触予定面に塗りネット３を押しつける方法やＵ型に折れた、また釘をネット３の一部を挟んで壁体１のコンクリートにアンカーする方法などがある。パテ状の接着剤の場合は、これを全面でなく例えば部分的に４ヶ所でもよい。これを図１の符号４の斜線部に示す。
また釘をアンカーする方法は壁体１の型枠を水平にしコンクリートを水平に打設し、このコンクリートが固まる前にまた釘の先端を下にして壁体１のコンクリートに沈める。これを図２に示し符号５がまた釘である。
【００１０】
次にサツキ、ツタ等の植物６の根鉢７を植栽孔２に挿入する。これを図３に示す。挿入する時期は壁体１を現地に設置後または設置前の工場でプレキャストコンクリート版を作った後または現地に設置する直前など任意でよい。
【００１１】
根鉢７の横断面形状は植栽孔２の横断面形状と同じとし、大きさは図３のようにやゝ小さめ、または同じ、またはやゝ大きめとし、大きめの時は根鉢７の弾力の範囲内で縮めて挿入する。根鉢７の長さは図３のＡのようにやゝ飛び出している場合は根鉢７の弾力の範囲内で縮めて挿入するか又は最初から同じ長さとする。
【００１２】
根鉢７を植栽孔２に挿入後、図４のように止め具８で止める。この数は任意でよいが通常は図４のように４個またはこれ以下でよい。植物６の根鉢７の大きさや、風の強さなどによる。止め具８の壁体１への取り付けは図５のように壁体１にインサート９を用いる。インサート９の壁体１への取り付けは壁体１のコンクリートが固まる前か、または後からドリルで穴をあけて取り付ける。インサート９にネジ１０を用いて止め具８を止める。止め具８の材料は合成樹脂、金属、木など任意でよい。
【００１３】
壁体１に根鉢７を止める方法は図４および図５のようにする方法とは別に植栽孔２の中の壁体１の表面に近い所にインサートを設けて止め具で止める方法や対向する２ケ１組の凹処に長めの止め具を弓型に曲げて取り付け、伸ばして止める方法がある。
【００１４】
次にネット３と根鉢７と背面土１１との関係について示す。図３および図１のように根鉢７と背面土１１とはこの間にネット３があるがネット３の目の部分で密着している。これにより背面土１１の養水分が毛細管現象により根鉢７に伝わり植物６は枯死しない。また背面土１１の土圧がネット３により止められるから背面土１１が大雨により大量の水分を含んだときに地震が起きても植栽孔２から土砂が土石流のように飛び出すことはない。また植物６の根はネット３の目を通して伸長し植物６は順調に生育する。この様子を図６に示す。
【００１５】
次にネット３の目の大きさと材質および補助資材について示す。目の大きさは１×１ｃｍ〜２×２ｃｍ程度でよい。通常の土砂の場合１×１ｃｍで又砂利混じり土砂の場合で２×２ｃｍで最初のみ少し細かい土が流出するが、あとは止まり使用上問題ない。また材質は合成樹脂または金属とする。植物６が長年、生育し根が太くなり、これ以上になることを考えると５×５ｃｍ〜１０×１０ｃｍまたはこれ以上必要になる。このようにすると初期に土砂が流出するから大きい目のあるネットの背面土側すなわち土砂のある側に小さい目のある生分解ネットを重ねて使用するか又は背面土側に多数の穴のある生分解シート又は麻布などの有機質の自然に分解するものを重ねて使用する。生分解させる速さは根の生育の速さを勘案して決める。
【００１６】
次に植栽孔２の長さ、すなわち奥行きと根鉢７の長さとの相互関係について示す。例えばツタの根鉢７の長さが１０ｃｍで植栽孔２の長さが１５ｃｍあり５ｃｍ不足する場合は根鉢７とネット３との間に５ｃｍの土塊パット１２を図７のように挟む。土塊パット１２は根鉢７の土と同様のものをモールドに入れて固めて取り出したものである。またサツキの根鉢７の長さが１５ｃｍで植栽孔２の長さが１１ｃｍで４ｃｍ根鉢７が飛び出して突出する場合は図８のように壁体１に増し厚材１３を接着剤で貼り付ける。増し厚材１３の材料は発泡スチロール、プレキャストコンクリート版等でありネット３の増し厚材１３への取り付けは発泡スチロールの場合は接着剤または、また釘を刺してとめ、プレキャストコンクリート版の場合は壁体１にネット３を取り付ける場合と同様にする。
【００１７】
次に根鉢７および背面土１１の土について示す。土は自然の土または人工土壌に植物６の生育を助ける肥料要素、微量要素および有機物などを加えたものとする。
【００１８】
次に壁体１の構成について示す。壁体１がテールアルメ工法等の場合はプレキャプストコンクリートの単版を多数たて、よこに積み重ねて壁面を構築する。１枚の大きさは任意でよいが例えば１．６×１．６ｍとし各々上下左右の縁より８０ｃｍ中に入った所に植栽孔２を設けると、その数は４ヶとなり、このような単版を多数、上下方向に１．６ｍの１／２すなわち８０ｃｍずらして並べたものを図９に示す。植栽孔２が８０×８０ｃｍの方眼状に並び、ここにサツキ等を植栽する。または植栽孔２の配置を適正に変えてツタとサツキを混植する。又ツタやサツキ以外にも壁面の生育に適したものを植える。
【００１９】
別の実施例
前述のものは壁体１がテールアルメ工法等でプレキャプストコンクリートの単版を多数たて、よこに積み重ねて壁面を構築するものでプレキャストコンクリート版にリブ付ストリップやアンカーバーを用いている。次にリブ付ストリップやアンカーバーを用いない壁体について示す。
【００２０】
リブ付ストリップやアンカーバーを用いない壁体として図１０の（ａ）に示すＬ型擁壁の断面図又は（ｂ）に示す倒立Ｔ型擁壁の断面図さらに図示しないがＬ型擁壁を向い合わせたＵ型擁壁およびＵ型の左右両面を壁で塞いだ箱型擁壁、更にこれを小型化したプランターボックスまた別のタイプとして鉄骨の枠にプレキャストコンクリート版を設置し給水のために背面に土砂を用いたものや住宅のまわりのコンクリートブロック塀の背面に給水の為の土砂を追加したものなどがある。
【００２１】
Ｌ型擁壁および倒立Ｔ型擁壁の場合の正面図は目地のない図９の様になり、またこの壁面は垂直でなく、ある程度傾いたものでもよい。
【００２２】
Ｌ型擁壁、倒立Ｔ型擁壁、Ｕ型擁壁、箱型擁壁およびプランターボックスについてこのコンクリートが現場打設の場合とプレキャストの場合がある。背面にネットを取り付ける方法に着目するとプレキャストの場合は（０００９）に示したように  型枠を水平にしコンクリートを水平に打設し、このコンクリートが固まる前に、Ｕ型に折れたまた釘の先端を下にして壁体のコンクリートに沈める  こともできる。製品の製作上このように水平にできない時や現場打設の場合はパテ状の接着剤を壁体にネットとの接触予定面に塗りネットを押しつける方法による。又は（００１２）の止め具の止め方のようにインサートを用いインサートの壁体への取り付けは壁体のコンクリートが固まる前か、または後からドリルで穴をあけインサートを設置し、このインサートにネット３を挟んでネジと座金を用いてネットを止める。
【００２３】
既設の擁壁、ブロック積みおよび石積みに於いても、これらの前面にコンクリート版を増設し植栽孔２を設け、既に示した新設のものの考えを応用すれば容易に植栽壁面を得られる。
【図面の簡単な説明】
【００２４】
【図１】本発明の壁体その他を説明するための背面図である。
【図２】また釘の使用状態を示す説明図である。
【図３】根鉢その他を説明するための断面図である。
【図４】止め具の使用状態を示す正面図である。
【図５】止め具の使用状態を示す断面図である。
【図６】植物の根の伸長状態を示す断面図である。
【図７】土塊パットの使用状態を示す断面図である。
【図８】増し厚材の使用状態を示す断面図である。
【図９】コンクリート単版を多数積み重ねた壁面の植栽孔を示す正面図である。
【図１０】Ｌ型擁壁および倒立Ｔ型擁壁の各々の断面図である。
【符号の説明】
【００２５】
１  壁体
２  植栽孔
３  ネット
５  また釘
６  植物
７  根鉢
８  止め具
９  インサート
１０  ネジ
１１  背面土
１２  土塊パット
１３  増し厚材
【図１】
2007089594.tif 000003
【図２】
2007089594.tif 000004
【図３】
2007089594.tif 000005
【図４】
2007089594.tif 000006
【図５】
2007089594.tif 000007
【図６】
2007089594.tif 000008
【図７】
2007089594.tif 000009
【図８】
2007089594.tif 000010
【図９】
2007089594.tif 000011
【図１０】
2007089594.tif 000012